【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
デバイスの第１の無線アクセス技術、ＲＡＴ、の第１の無線機の第１の動作状態を、前記デバイスの第２のＲＡＴの第２の無線機へと、前記第１の無線機と前記第２の無線機との間の第１の物理接続を通じて通信することと、
前記第２の無線機の第２の動作状態を、前記第１の無線機へと、前記第１の無線機と前記第２の無線機との間の第２の物理接続を通じて通信することと、ここで、前記第１の無線機と第２の無線機との間の潜在的な干渉を低減するために、前記第１および第２の動作状態は、物理プロトコルにしたがって前記物理接続を通じて通信される、
前記第１のＲＡＴの無線状態の変化に基づいて前記第１および第２の物理接続の前記プロトコルを変更することと、ここで、無線状態の前記変化は、ＦＤＤもしくはＴＤＤ無線構成の変化、またはキャリア周波数の変化である、
前記物理接続を通じて、前記第１の無線機と前記第２の無線機との間の潜在的に干渉する通信のインジケーションを交換することと、
前記物理接続を通じて交換された前記インジケーションに基づいて、前記第１の無線機または第２の無線機のうちの少なくとも１つの通信を調整することと
を備える、ワイヤレス通信の方法。
【請求項２】
前記第１のＲＡＴがワイヤレスワイドエリアネットワークである、請求項１に記載の方法。
【請求項３】
前記第２のＲＡＴがワイヤレスローカルエリアネットワークである、請求項１または２に記載の方法。
【請求項４】
通信を調整することが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つを含む、請求項１に記載の方法。
【請求項５】
前記第１のＲＡＴの無線状態の前記変化が、使用されるキャリア周波数または無線状態の変化のうちの１つである、請求項１に記載の方法。
【請求項６】
前記第１のＲＡＴの無線状態の前記変化が、周波数分割複信モードから時分割複信モードへの変化または時分割複信モードから周波数分割複信モードへの変化のうちの１つである、請求項１に記載の方法。
【請求項７】
ワイヤレス通信のために構成された装置であって、
第１の無線アクセス技術、ＲＡＴ、の第１の無線機と、
第２のＲＡＴの第２の無線機と、
前記第１の無線機と前記第２の無線機との間で物理接続を通じて特定のプロトコルの論理信号を交換するためのインターフェースと、ここで、前記信号は、前記第１の無線機と前記第２の無線機との間の潜在的に干渉する通信を示す、
前記インターフェースを通じて交換された信号に基づいて、前記第１の無線機または第２の無線機のうちの少なくとも１つの通信を調整するための手段と、
を備え、
前記装置は、前記第１のＲＡＴの無線条件の変化に基づいて前記論理信号の前記プロトコルを変化させるように構成され、ここで、無線条件の前記変化は、ＦＤＤまたはＴＤＤ無線構成の変化またはキャリア周波数の変化である、ことを特徴とする、
ワイヤレス通信のために構成された装置。
【請求項８】
前記第１のＲＡＴがワイヤレスワイドエリアネットワークである、請求項７に記載の装置。
【請求項９】
前記第２のＲＡＴがワイヤレスローカルエリアネットワークである、請求項７または８に記載の装置。
【請求項１０】
通信を調整するための前記手段が、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つを含むように前記通信を調整するように構成された、請求項７に記載の装置。
【請求項１１】
前記第１のＲＡＴの前記動作状態が、使用されるキャリア周波数または無線状態のうちの１つである、請求項７に記載の装置。
【請求項１２】
前記第１のＲＡＴの無線条件の前記変化が、周波数分割複信モードから時分割複信モードへの変化または時分割複信モードから周波数分割複信モードへの変化のうちの１つである、請求項７に記載の装置。
【請求項１３】
無線条件の前記変化が、また、キャリア周波数の数の変化から選択される、請求項７に記載の装置。
【請求項１４】
無線条件の前記変化が、また、マルチプルなワイヤレスワイドエリアネットワーク無線機の同時アクティブ化から選択される、請求項７に記載の装置。
【請求項１５】
ワイヤレス通信のために構成されたコンピュータプログラム製品であって、
請求項１〜６に記載の方法のいずれか１つを実行するためのプログラムコードを記録したコンピュータ可読媒体
を備える、コンピュータプログラム製品。
【手続補正２】
【補正対象書類名】明細書
【補正対象項目名】００８６
【補正方法】変更
【補正の内容】
【００８６】
[0100]開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、出願当初の特許請求の範囲に記載された発明を付記する。
［Ｃ１］
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を備える、ワイヤレス通信の方法。
［Ｃ２］
前記複数の論理接続が物理接続である、上記Ｃ１に記載の方法。
［Ｃ３］
前記複数の論理接続がソフトウェアメッセージである、上記Ｃ１に記載の方法。
［Ｃ４］
前記第１のＲＡＴがワイヤレスワイドエリアネットワーク（ＷＷＡＮ）ＲＡＴである、上記Ｃ１に記載の方法。
［Ｃ５］
前記第２のＲＡＴがワイヤレスローカルエリアネットワーク（ＷＬＡＮ）ＲＡＴである、上記Ｃ１に記載の方法。
［Ｃ６］
通信を調整することが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つを含む、上記Ｃ１に記載の方法。
［Ｃ７］
前記第１のＲＡＴの前記動作状態が、使用されるキャリア周波数または無線状態のうちの１つである、上記Ｃ１に記載の方法。
［Ｃ８］
前記第１のＲＡＴの前記動作状態が、周波数分割複信（ＦＤＤ）モードまたは時分割複信（ＴＤＤ）モードのうちの１つである、上記Ｃ１に記載の方法。
［Ｃ９］
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するための手段と、
前記構成された論理接続を通じて、前記第１の無線機と前記第２の無線機との間で潜在的に干渉する通信のインジケーションを交換するための手段と、
前記構成された論理接続を通じて交換された前記インジケーションに基づいて、前記第１の無線機または前記第２の無線機のうちの少なくとも１つの通信を調整するための手段と
を備える、ワイヤレス通信のために構成された装置。
［Ｃ１０］
前記第１のＲＡＴの前記動作状態が、周波数分割複信（ＦＤＤ）モードまたは時分割複信（ＴＤＤ）モードのうちの１つである、上記Ｃ９に記載の装置。
［Ｃ１１］
ワイヤレス通信のために構成されたコンピュータプログラム製品であって、
非一時的プログラムコードを記録したコンピュータ可読媒体を備え、前記非一時的プログラムコードが、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成するためのプログラムコードと、
前記構成された論理接続を通じて、前記第１の無線機と前記第２の無線機との間で潜在的に干渉する通信のインジケーションを交換するためのプログラムコードと、
前記構成された論理接続を通じて交換された前記インジケーションに基づいて、前記第１の無線機または前記第２の無線機のうちの少なくとも１つの通信を調整するためのプログラムコードと
を備える、コンピュータプログラム製品。
［Ｃ１２］
前記第１のＲＡＴの前記動作状態が、周波数分割複信（ＦＤＤ）モードまたは時分割複信（ＴＤＤ）モードのうちの１つである、上記Ｃ１１に記載のコンピュータプログラム製品。
［Ｃ１３］
ワイヤレス通信のために構成された装置であって、
メモリと、
前記メモリに結合された少なくとも１つのプロセッサであって、
第１の無線アクセス技術（ＲＡＴ）の第１の無線機または第２のＲＡＴの第２の無線機のうちの少なくとも１つの動作状態に基づいて、前記第１の無線機と前記第２の無線機との間に複数の論理接続を構成することと、
前記構成された論理接続を通じて、前記第１の無線機と前記第２の無線機との間で潜在的に干渉する通信のインジケーションを交換することと、
前記構成された論理接続を通じて交換された前記インジケーションに基づいて、前記第１の無線機または前記第２の無線機のうちの少なくとも１つの通信を調整することと
を行うように構成された少なくとも１つのプロセッサと
を備える、装置。
［Ｃ１４］
前記複数の論理接続が物理接続である、上記Ｃ１３に記載の装置。
［Ｃ１５］
前記複数の論理接続がソフトウェアメッセージである、上記Ｃ１３に記載の装置。
［Ｃ１６］
前記第１のＲＡＴがワイヤレスワイドエリアネットワーク（ＷＷＡＮ）ＲＡＴである、上記Ｃ１３に記載の装置。
［Ｃ１７］
前記第２のＲＡＴがワイヤレスローカルエリアネットワーク（ＷＬＡＮ）ＲＡＴである、上記Ｃ１３に記載の装置。
［Ｃ１８］
前記少なくとも１つのプロセッサが、
前記第１のＲＡＴの通信ギャップ中に前記第２のＲＡＴと通信すること、
異なるアクセスポイントを通じて前記第２のＲＡＴと通信すること、
前記第２のＲＡＴから前記第１のＲＡＴにデータ通信をハンドオーバすること、および
前記第１のＲＡＴがアイドルモードにある間、前記第１のＲＡＴの通信を保護すること、
のうちの少なくとも１つによって通信を調整するようにさらに構成された、上記Ｃ１３に記載の装置。
［Ｃ１９］
前記第１のＲＡＴの前記動作状態が、使用されるキャリア周波数または無線状態のうちの１つである、上記Ｃ１３に記載の装置。
［Ｃ２０］
前記第１のＲＡＴの前記動作状態が、周波数分割複信（ＦＤＤ）モードまたは時分割複信（ＴＤＤ）モードのうちの１つである、上記Ｃ１３に記載の装置。